(57)【要約】【課題】プラグコンタクトを引き抜く際に高い引き抜き力を要するコネクタを得る。【解決手段】プラグ湾曲部１２ｂをリセプタクル湾曲部２２ｄから引き抜くときに、プラグ係合段部Ｐとリセプタクル係合段部Ｒとが互いに係合する。プラグコンタクト１２のプラグ係合段部Ｐにおいて、底面３２ｑと下側面３２ｐとのなす傾斜角度が鈍角である。リセプタクルコンタクト２２のリセプタクル係合段部Ｒにおいて、底面４２ｑと上側面４２ｒとのなす傾斜角度が直角である。【選択図】図４
2012018781.tif 000002
【特許請求の範囲】
【請求項１】
第１ハウジングと、前記第１ハウジングに固定された帯状導電部材である第１コンタクトとを有する第１コネクタと、
第２ハウジングと、前記第２ハウジングに固定された帯状導電部材である第２コンタクトとを有する第２コネクタとを備えたコネクタであって、
前記第１コンタクトは、その長手方向の位置が互いに異なる複数個所で屈曲することで形成された、前記第２コネクタに向かって突出するように湾曲した第１湾曲部を有していると共に、前記第２コンタクトは、その長手方向の位置が互いに異なる複数個所で屈曲することで形成された、前記第１コネクタに向かって開口するように湾曲した第２湾曲部を有し、前記第１湾曲部はその内側から前記第１ハウジングによって支持されており、
前記第１湾曲部が前記第２湾曲部に嵌合することによって、前記第１コンタクトと前記第２コンタクトとの電気的接続が達成され、
前記第１湾曲部には、前記第２湾曲部への嵌合方向と直交し且つ互いに反対方向を向いた２つの外側面が設けられており、前記２つの外側面の一方及び他方が、それぞれ、互いに反対方向を向くように前記第２湾曲部に設けられた前記嵌合方向と直交する２つの内側面の一方及び他方と、前記第１湾曲部の前記第２湾曲部への嵌合動作時に接触し、
前記第１湾曲部の前記一方の前記外側面、及び、前記嵌合動作時にこれと接触する前記第２湾曲部の前記一方の前記内側面のそれぞれに、前記第１湾曲部と前記第２湾曲部との係合を図るための係合段部が形成されており、
一方の前記係合段部において底面と側面のなす傾斜角度が直角であり、他方の前記係合段部において底面と側面のなす傾斜角度が鈍角であることを特徴とするコネクタ。
【請求項２】
前記第２湾曲部が、その頂部において外側から前記第２ハウジングによって支持されていることを特徴とする請求項１に記載のコネクタ。
【請求項３】
前記第２ハウジングは、前記第２コンタクトの厚み方向への移動を、前記第２湾曲部に隣接して設けられた前記嵌合方向に延在する部分において規制していることを特徴とする請求項１又は２に記載のコネクタ。
【請求項４】
前記第１湾曲部の前記他方の前記外側面、及び、前記嵌合動作時にこれと接触する前記第２湾曲部の前記他方の前記内側面は、少なくとも前記嵌合時に互いに接触する部分が共に凹凸のない平坦面となるように形成されていることを特徴とする請求項１〜３のいずれか１項に記載のコネクタ。
【請求項５】
前記嵌合動作時に、前記第１湾曲部の前記他方の前記外側面と前記第２湾曲部の前記他方の前記内側面とが、前記第１湾曲部の前記一方の前記外側面と前記第２湾曲部の前記一方の前記内側面とに先駆けて接触することを特徴とする請求項４に記載のコネクタ。
【発明の詳細な説明】
【技術分野】
【０００１】
本発明は、対向する２枚の基板を電気的に接続するコネクタに関する。
【背景技術】
【０００２】
特許文献１には、対向する２枚の回路基板を電気的に接続するコネクタ（基板対基板接続コネクタ）であって、嵌合溝部を有するソケットハウジングと、嵌合溝部に沿って屈曲したソケットコンタクトを有するソケットと、嵌合溝部に嵌合する嵌合凸部を有するヘッダハウジングと、嵌合凸部に沿って屈曲したヘッダコンタクトを有するヘッダとを備えたコネクタが開示されている。この種のコネクタでは、ソケットの嵌合溝部にヘッダの嵌合凸部を嵌挿することにより、ソケットコンタクトとヘッダコンタクトとが接触し、これらの間で電気的な接続が可能となる。
【０００３】
特許文献１に開示されたコネクタでは、ソケットコンタクトとヘッダコンタクトとの接触部分において、それぞれのコンタクトに傾斜段部が形成されており、ヘッダコンタクトのソケットコンタクトへの嵌合時に、傾斜段部同士が係合する。
【先行技術文献】
【特許文献】
【０００４】
【特許文献１】特開２００８−２７００８５号公報
【発明の概要】
【発明が解決しようとする課題】
【０００５】
特許文献１では、ソケットコンタクトの傾斜段部とヘッダコンタクトの傾斜段部との対向面が、それぞれ、コンタクト同士が抜け出せる方向（嵌合方向）に傾斜している（特許文献１  図８）。したがって、ヘッダコンタクトをソケットコンタクトから低い引き抜き力で引き抜くことができると考えられる。よって、ヘッダコンタクトがソケットコンタクトから簡易に外れやすい。
【０００６】
そこで、本発明は、一方のコネクタの他方のコネクタからの嵌合解除時に、高い引き抜き力を必要とするコネクタを提供することを目的とする。
【課題を解決するための手段】
【０００７】
本発明のコネクタは、第１ハウジングと、前記第１ハウジングに固定された帯状導電部材である第１コンタクトとを有する第１コネクタと、第２ハウジングと、前記第２ハウジングに固定された帯状導電部材である第２コンタクトとを有する第２コネクタとを備えたコネクタである。前記第１コンタクトは、その長手方向の位置が互いに異なる複数個所で屈曲することで形成された、前記第２コネクタに向かって突出するように湾曲した第１湾曲部を有していると共に、前記第２コンタクトは、その長手方向の位置が互いに異なる複数個所で屈曲することで形成された、前記第１コネクタに向かって開口するように湾曲した第２湾曲部を有し、前記第１湾曲部はその内側から前記第１ハウジングによって支持されており、前記第１湾曲部が前記第２湾曲部に嵌合することによって、前記第１コンタクトと前記第２コンタクトとの電気的接続が達成される。前記第１湾曲部には、前記第２湾曲部への嵌合方向と直交し且つ互いに反対方向を向いた２つの外側面が設けられており、前記２つの外側面の一方及び他方が、それぞれ、互いに反対方向を向くように前記第２湾曲部に設けられた前記嵌合方向と直交する２つの内側面の一方及び他方と、前記第１湾曲部の前記第２湾曲部への嵌合動作時に接触し、前記第１湾曲部の前記一方の前記外側面、及び、前記嵌合動作時にこれと接触する前記第２湾曲部の前記一方の前記内側面のそれぞれに、前記第１湾曲部と前記第２湾曲部との係合を図るための係合段部が形成されており、一方の前記係合段部において底面と側面のなす傾斜角度が直角であり、他方の前記係合段部において底面と側面のなす傾斜角度が鈍角である。
【０００８】
本発明によると、第１湾曲部と第２湾曲部との接触部において、傾斜角度が直角である係合段部と傾斜角度が鈍角である係合段部とを組み合わせた係合とすることにより、第１湾曲部の第２湾曲部からの嵌合解除時に、両方の係合段部の変形を抑制しつつ、第１湾曲部の引き抜きに高い引き抜き力を必要とすることができる。
【０００９】
また、本発明において、前記第２湾曲部が、その頂部において外側から前記第２ハウジングによって支持されていることが好ましい。これによると、第２コンタクトが基板にハンダ接合されたとき、第２湾曲部の頂部と基板とが第２ハウジングによって絶縁状態となることから、配線パターンの設計の自由度を高めることができる。また、第１湾曲部の第２湾曲部への嵌合動作時に、第２湾曲部の頂部の変形を抑止することができる。
【００１０】
さらに、本発明において、前記第２ハウジングは、前記第２コンタクトの厚み方向への移動を、前記第２湾曲部に隣接して設けられた前記嵌合方向に延在する部分において規制している。これによると、第２コンタクトの安定保持を図ることができる。
【００１１】
加えて、本発明において、前記第１湾曲部の前記他方の前記外側面、及び、前記嵌合動作時にこれと接触する前記第２湾曲部の前記他方の前記内側面は、少なくとも前記嵌合時に互いに接触する部分が共に凹凸のない平坦面となるように形成されている。これによると、第１湾曲部の他方の外側面と第２湾曲部の他方の内側面との接触可能な部分が嵌合方向に長くなることから、有効嵌合長を長くすることができる。また、上記構成により、第１湾曲部の第２湾曲部への嵌合の際に、第１湾曲部の他方の外側面と第２湾曲部の他方の内側面とがそれらの接触する部分において係合しないことから、第１湾曲部の第２湾曲部からの嵌合解除時に、第２コンタクトが嵌合方向へ移動することを抑制することができる。
【００１２】
また、本発明において、嵌合動作時に、前記第１湾曲部の前記他方の前記外側面と前記第２湾曲部の前記他方の前記内側面とが、前記第１湾曲部の前記一方の前記外側面と前記第２湾曲部の前記一方の前記内側面とに先駆けて接触する。これによると、第１湾曲部の他方の外側面と第２湾曲部の他方の内側面との接触部分が変位してから、第１湾曲部の一方の外側面と第２湾曲部の一方の内側面とが係合することから、低い挿入力により、第１湾曲部を第２湾曲部へ嵌合させることができる。したがって、第１湾曲部の第２湾曲部への嵌合動作時において低い挿入力を実現することができるとともに、第１湾曲部の第２湾曲部からの嵌合解除動作時において高い引き抜き力を実現することができるため、低い挿入力と高い引き抜き力とを両立させることができる。
【発明の効果】
【００１３】
本発明のコネクタによると、第１湾曲部の第２湾曲部への嵌合動作時に第１湾曲部と第２湾曲部とが接触する接触部において、傾斜角度が直角である係合段部と傾斜角度が鈍角である係合段部とを組み合わせた係合にすることにより、第１湾曲部の第２湾曲部からの嵌合解除時に、両方の係合段部の変形を抑制しつつ、第１湾曲部の引き抜きに高い引き抜き力を必要とすることができる。
【図面の簡単な説明】
【００１４】
【図１】本発明の第１実施形態に係るコネクタの外観斜視図であり、（ａ）は、プラグコネクタのリセプタクルコネクタへの嵌合時を示しており、（ｂ）プラグコネクタのリセプタクルコネクタへの嵌合解除時を示している。
【図２】（ａ）は図１に示すプラグコネクタの外観斜視図であり、（ｂ）は、図２（ａ）に示すＩＩＢ‐ＩＩＢ断面図である。
【図３】（ａ）は図１に示すリセプタクルコネクタの外観斜視図であり、（ｂ）は、図３（ａ）に示すＩＩＩＢ‐ＩＩＩＢ断面図である。
【図４】（ａ）〜（ｃ）は、プラグコネクタのリセプタクルコネクタへの嵌合動作時及び嵌合解除時を順に示す図であり、（ｂ）は、図１のIＶＢ‐IＶＢ断面図である。
【図５】（ａ）は、図１に示すリセプタクルハウジングの平面図であり、（ｂ）は、図１に示すリセプタクルハウジングの側面図である。
【図６】図１に示すリセプタクルコネクタの平面図である。
【発明を実施するための形態】
【００１５】
以下、本発明の好適な実施形態について、図面を参照しつつ説明する。
【００１６】
図１（ａ）は、 プラグコネクタ（第１コネクタ）１０をリセプタクルコネクタ（第２コネクタ）２０へ嵌合させたときを示しており、図１（ｂ）は、プラグコネクタ（第１コネクタ）１０をリセプタクルコネクタ（第２コネクタ）２０へ嵌合させる前を示している。図１に示すように、コネクタ１００は、プラグコネクタ（第１コネクタ）１０と、リセプタクルコネクタ（第２コネクタ）２０とを備えている。
【００１７】
（プラグコネクタ）
図２（ａ）に示すように、プラグコネクタ（第１コネクタ）１０は、プラグハウジング（第１ハウジング）１１と、プラグハウジング１１に固定された複数のプラグコンタクト（第１コンタクト）１２とを有している。複数のプラグコンタクト１２は、所定のピッチで配列されている。
【００１８】
プラグハウジング１１は、絶縁性の樹脂からなるものであって、その周縁に沿って形成された略矩形状の環状の環状壁１５と、環状壁１５の内部に形成された底壁１６とを有している。環状壁１５は、底壁１６の右端及び左端のそれぞれから立設した側壁１５ａ，１５ｂと、底壁１６の前端から立設した前壁１５ｃと、底壁１６の後端から立設した後壁１５ｄとを有している。そして、環状壁１５及び底壁１６により、環状壁１５の内方に凹部１７が形成されている。側壁１５ａ，１５ｂには、その側面に沿って、略Ｕ字状の溝１８が複数形成されている。複数の溝１８は、側壁１５ａ，１５ｂの長手方向に沿って、所定の間隔で配列されている。
【００１９】
図２（ｂ）に示すように、プラグコンタクト１２は、所定の厚みを有する金属の帯状導電部材であって、その長手方向に互いに異なる３箇所で屈曲することにより形成されている。プラグコンタクト１２は、図示しない回路基板にハンダ接合されるプラグ端子部１２ａと、プラグ端子部１２ａの一端に接続された略逆Ｕ字状のプラグ湾曲部（第１湾曲部）１２ｂとを有している。
【００２０】
プラグコンタクト１２をプラグハウジング１１に装着するときは、プラグコンタクト１２（プラグ湾曲部１２ｂ）をプラグハウジング１１の溝１８に嵌め、圧入する。プラグコンタクト１２がプラグハウジング１１に固定されているとき、図２（ｂ）に示すように、プラグ湾曲部１２ｂは側壁１５ａ，１５ｂにより内側から支持されている。
【００２１】
（リセプタクルコネクタ）
図３（ａ）に示すように、リセプタクルコネクタ（第２コネクタ）２０は、リセプタクルハウジング（第２ハウジング）２１と、リセプタクルハウジング２１に固定された複数のリセプタクルコンタクト（第２コンタクト）２２とを有している。複数のリセプタクルコンタクト２２は、プラグコンタクト１２と略同じ所定のピッチで配列されている。
【００２２】
リセプタクルハウジング２１は、絶縁性の樹脂からなるものであって、その周縁に沿って形成された略矩形状の環状の環状壁２５と、環状壁２５の内部に形成された底壁２６と、環状壁２５の内部に形成された凸部２７を有している。環状壁２５は、底壁２６の右端及び左端のそれぞれから立設した側壁２５ａ，２５ｂと、底壁２６の前端から立設した前壁２５ｃと、底壁２６の後端から立設した後壁２５ｄとを有している。凸部２７は、環状壁２５の内方に形成された凹部２８の中に設けられているとともに、環状壁２５から所定の間隔だけ離れた位置に設けられている。側壁２５ａ，２５ｂには、その側面に沿って、略Ｕ字状の溝２９が複数形成されている。複数の溝２９は、側壁２５ａ，２５ｂの長手方向に沿って、所定の間隔で配列されている。
【００２３】
図３（ｂ）に示すように、リセプタクルコンタクト２２は、所定の厚みを有する金属の帯状導電部材であって、その長手方向に互いに異なる６箇所で屈曲することにより形成されている。リセプタクルコンタクト２２は、図示しない回路基板にハンダ接合されるリセプタクル端子部２２ａと、リセプタクル端子部２２ａの一端から上方へ延びた保持部２２ｂと、保持部２２ｂの一端から水平方向に延びた接続部２２ｃと、接続部２２ｃの一端から下方に延在し、その後、緩やかに水平方向へ屈曲した後、上方へ立ち上がって形成されたリセプタクル湾曲部２２ｄ（第２湾曲部）とを有している。保持部２２ｂの溝２９の配列方向に向いた側面には、リセプタクルコンタクト２２の幅方向に張り出した突起部２５ｅ（図３（ａ），図６の拡大図参照）が設けられている。リセプタクルコンタクト２２をリセプタクルハウジング２１に装着したとき、突起部２５ｅは、リセプタクルハウジング２１の側壁２５ａ，２５ｂに保持される。
【００２４】
リセプタクルコンタクト２２をリセプタクルハウジング２１に装着するときは、リセプタクルコンタクト２２を溝２９に嵌め、圧入する。
【００２５】
次に、図４を参照しつつ、プラグコネクタ１０のリセプタクルコネクタ２０への嵌合時及び嵌合解除時について説明する。
【００２６】
図４（ａ）には、プラグコネクタ１０をリセプタクルコネクタ２０へ挿入する時（嵌合動作時）の状態が示されている。図４（ｂ）には、プラグコネクタがリセプタクルコネクタへ嵌合した時（嵌合時）の状態が示されている。図４（ｃ）には、プラグコネクタをリセプタクルコネクタから引き抜く時（嵌合解除動作時）の状態が示されている。
【００２７】
図４（ａ）〜（ｃ）に示すように、プラグ湾曲部１２ｂは、リセプタクルコネクタ２０に向かって突出するように湾曲しているとともに、その内側からプラグハウジングの側壁１５ａ，１５ｂにより支持されている。リセプタクル湾曲部２２ｄは、プラグコネクタ１０に向かって開口するように湾曲している。
【００２８】
プラグ湾曲部１２ｂは、頂部３１と、頂部３１を挟んで互いに反対側に位置する２つの側部３２，３３とを有している。２つの側部３２，３３は、嵌合方向と直交する方向に対向している。また、リセプタクル湾曲部２２ｄは、頂部４１と、頂部４１を挟んで互いに反対側に位置する２つの側部４２，４３と、側部４３の先端から略くの字状に屈曲した屈曲部４４とを有している。２つの側部４２，４３は、嵌合方向と直交する方向に対向している。
【００２９】
図４（ａ），（ｂ）に示すように、プラグ湾曲部１２ｂのリセプタクル湾曲部２２ｄへの嵌合動作時に、プラグ湾曲部１２ｂの側部３３の外側面３３ａと、リセプタクル湾曲部２２ｄの屈曲部４４の内側面４４ａとが接触するとともに、プラグ湾曲部１２ｂの側部３２の外側面３２ａと、リセプタクル湾曲部２２ｄの側部４２の内側面４２ａとが接触する。また、上記嵌合動作時には、プラグ湾曲部１２ｂの側部３３の外側面３３ａが、リセプタクル湾曲部２２ｄの側部４３の内側面４３ａとも接触する。したがって、プラグ湾曲部１２ｂのリセプタクル湾曲部２２ｄへの嵌合動作時に、プラグ湾曲部１２ｂとリセプタクル湾曲部２２ｄとは、２箇所で接触する。外側面３２ａ，３３ａは、嵌合方向と直交し且つ互いに反対方向を向いている。また、同様に、内側面４２ａ，４４ａは、嵌合方向と直交し且つ互いに反対方向を向いている。
【００３０】
次に、プラグ湾曲部１２ｂをリセプタクル湾曲部２２ｄに嵌合する時に（嵌合動作時に）、プラグ湾曲部１２ｂとリセプタクル湾曲部２２ｄとが接触する２箇所の接触部分について説明する。
【００３１】
まず、２箇所の接触部分のうちの一方の接触部分及びその周辺（図４（ｂ）に示すＳ１）について説明する。ここでは、説明の都合上、図４（ｃ）の拡大図を参照しながら説明する。
【００３２】
外側面３２ａには、側部３２の長手方向に延びた凹部３２ｂが形成されている。凹部３２ｂは、外側面３２ａに、プラグコンタクト１２の厚み方向に圧潰加工を施すことにより形成されたものである。また、内側面４２ａには、側部４２の長手方向に延びた凹部４２ｂが形成されている。凹部４２ｂは、内側面４２ａに、リセプタクルコンタクト２２の厚み方向に圧潰加工を施すことにより形成されたものである。
【００３３】
図４（ｃ）に示すように、本実施形態では、プラグ湾曲部１２ｂのリセプタクル湾曲部２２ｄからの嵌合解除時に、凹部３２ｂの下端と、凹部４２ｂの上端とが係合することにより、プラグ湾曲部１２ｂとリセプタクル湾曲部２２ｄとが係合する。そこで、以下においては、プラグ湾曲部１２ｂの凹部３２ｂの下端をプラグ係合段部Ｐと示し、リセプタクル湾曲部２２ｄの凹部４２ｂの上端をリセプタクル係合段部Ｒと示す。
【００３４】
プラグ係合段部Ｐにおいて、凹部３２ｂの底面３２ｑと下側面３２ｐとのなす傾斜角度が鈍角である。また、リセプタクル係合段部Ｒにおいて、凹部４２ｂの底面４２ｑと上側面４２ｒとのなす傾斜角度が直角である。
【００３５】
プラグ係合段部Ｐとリセプタクル係合段部Ｒとが係合することによって、プラグ湾曲部１２ｂのリセプタクル湾曲部２２ｄからの嵌合が解除されにくくなる。なお、プラグ係合段部Ｐにおいて、凹部３２ｂの底面３２ｑと下側面３２ｐとのなす傾斜角度が直角である場合は、プラグ係合段部Ｐの傾斜角度とリセプタクル係合段部Ｒの傾斜角度とのいずれもが直角であるため、プラグ湾曲部１２ｂのリセプタクル湾曲部２２ｄからの嵌合解除時に、プラグ係合段部Ｐとリセプタクル係合段部Ｒとが削れて変形しやすい。本実施形態では、プラグ係合段部Ｐの傾斜角度が鈍角であり且つリセプタクル係合段部Ｒの傾斜角度が直角であるため、プラグ係合段部Ｐとリセプタクル係合段部Ｒとが確実に係合しつつ、プラグ係合段部Ｐが傾斜していることからプラグ係合段部Ｐ及びリセプタクル係合段部Ｒが変形しにくい。また、プラグ係合段部Ｐとリセプタクル係合段部Ｒとが係合しているとき、プラグ湾曲部１２ｂとリセプタクル湾曲部２２ｄとが接触していることから、プラグ湾曲部１２ｂとリセプタクル湾曲部２２ｄとの導通が可能となる。
【００３６】
次に、２箇所の接触部のうちの他方の接触部分及びその周辺（図４（ｂ）に示すＳ２）について説明する。ここでは、図４（ｂ）を参照しながら説明する。
【００３７】
図４（ｂ）に示すように、外側面３３ａと、内側面４３ａと、内側面４４ａとは、それぞれ、凹凸のない平坦面となっている。したがって、嵌合動作時において、外側面３３ａの全面が、内側面４３ａ及び内側面４４ａの少なくとも一方と接触可能となっている。外側面３３ａと、内側面４３ａ及び内側面４４ａの少なくとも一方とが接触することにより、プラグ湾曲部１２ｂとリセプタクル湾曲部２２ｄとの導通が可能となる。
【００３８】
本実施形態では、図４（ａ），（ｂ）に示すように、プラグコネクタ１０をリセプタクルコネクタ２０に嵌合するときに、プラグ湾曲部１２ｂの外側面３３ａと、リセプタクル湾曲部２２ｄの内側面４４ａとが接触し、屈曲部４４が変位した後、プラグ湾曲部１２ｂの外側面３２ａと、リセプタクル湾曲部２２ｄの内側面４２ａとが接触する。言い換えると、プラグ湾曲部１２ｂのリセプタクル湾曲部２２ｄへの嵌合動作時に、プラグ湾曲部１２ｂの外側面３２ａと、リセプタクル湾曲部２２ｄの内側面４２ａとの接触に先駆けて、プラグ湾曲部１２ｂの外側面３３ａと、リセプタクル湾曲部２２ｄの内側面４４ａとが接触し、屈曲部４４が変位する。
【００３９】
続いて、図３〜６を参照しつつ、リセプタクルコネクタ２０の構造について説明する。
【００４０】
図３（ｂ）に示すように、リセプタクルハウジング２１の底壁２６は、側壁２５ａ，２５ｂのそれぞれに連接しており、且つ、凸部２７へ向けてリセプタクル湾曲部２２ｄの頂部４１が配置される位置まで延びている。したがって、リセプタクルコンタクト２２をリセプタクルハウジング２１に装着したとき、頂部４１の下方に底壁２６が存在するため、リセプタクル湾曲部２２ｄが、頂部４１において、外側（図３（ｂ）の下側）から底壁２６によって支持される。よって、リセプタクルコネクタ２０を図示しない基板へハンダ接合したら、基板とリセプタクルコンタクト２２の頂部４１との間に、底壁２６が介在するため、頂部４１と基板との間が絶縁状態となる。
【００４１】
また、図３（ａ），（ｂ）に示すように、側壁２５ａ，２５ｂの外側面には、複数の保持壁５０ａ，５０ｂが設けられている。保持壁５０ａ，５０ｂは、矩形状であって、側壁２５ａ，２５ｂの溝２９が形成されていない部分に、側壁２５ａ，２５ｂの高さ方向（嵌合方向）に沿って設けられている。図３（ａ）に示すように、保持壁５０ａ，５０ｂの幅は、隣り合う２つの溝２９の間隔より大きい。したがって、溝２９の保持部２２ｂが嵌められる入口が狭くなっている。（図５，６参照）。
【００４２】
図５は、リセプタクルハウジング２１を示しており、図６は、リセプタクルハウジング２１にリセプタクルコンタクト２２を装着したときを示している。図５（ａ）に示すように、保持壁５０ａ，５０ｂにより、溝２９の保持部２２ｂが嵌められる入口２９ａが、溝２９の他の部分の幅より狭くなっている。また、図６（拡大図）に示すように、隣り合う２つの保持壁５０ａの間隔及び隣り合う２つの保持壁５０ｂの間隔は、いずれも、保持部２２ｂの幅（リセプタクルコンタクト２２の長手方向に直交する長さ）と２つの突起部２５ｅの突出長さとの合計の長さより小さい。したがって、突起部２５ｅの後方（図５において、突起部２５ｅの上方）には、突起部２５ｅに隣接して保持壁５０ｂが存在することから、突起部２５ｅ及び保持部２２ｂが後方から保持壁５０ｂにより支持される。よって、保持部２２ｂがリセプタクルコンタクト２２の厚み方向（図６において、上方）へ移動することが規制される。
【００４３】
また、図５（ｂ）に示すように、保持壁５０ｂは、リセプタクルハウジング２１の高さ方向（嵌合方向）に延在している。なお、図示されていないが、同様に、保持壁５０ａも、リセプタクルハウジング２１の高さ方向（嵌合方向）に延在している。
【００４４】
なお、プラグコンタクト１２には、上述したように、それぞれ、凹部３２ｂを形成するために、圧潰加工が施されている。圧潰加工は、帯状導電部材を屈曲する前に、一直線状となった帯状導電部材に施される。そして、圧潰加工により凹部３２ｂが形成された一直線状の帯状導電部材を、その長手方向に互いに異なる複数個所で屈曲させることにより、プラグコンタクト１２が得られる。また、同様に、リセプタクルコンタクト２２を形成する際も、帯状導電部材を屈曲する前の一直線状となった帯状導電部材に圧潰加工を施し、その後、一直線状の帯状導電部材を、その長手方向に互いに異なる複数個所で屈曲形成することにより、リセプタクルコンタクト２２が得られる。
【００４５】
以上に述べたように、本実施の形態のコネクタによると以下の効果を奏する。プラグ湾曲部１２ｂのリセプタクル湾曲部２２ｄへの嵌合解除時に、傾斜角度が鈍角であるプラグ係合段部Ｐと、傾斜角度が直角であるリセプタクル係合段部Ｑとが係合するため、第１湾曲部の第２湾曲部からの嵌合解除時に、プラグ係合段部Ｐ及びリセプタクル係合段部Ｑの変形を抑制しつつ、プラグ湾曲部１２ｂの引き抜きに高い引き抜き力を要することができる。
【００４６】
また、リセプタクル湾曲部２２ｄが、その頂部４１において外側から底壁２６によって支持されている。これにより、リセプタクルコンタクト２２が基板にハンダ接合されたとき、リセプタクル湾曲部２２ｄの頂部４１と基板とが底壁２６によって絶縁状態となることから、配線パターンの設計の自由度を高めることができる。また、プラグ湾曲部１２ｂのリセプタクル湾曲部２２ｄへの嵌合動作時に、リセプタクル湾曲部２２ｄの頂部４１の変形を抑止することができる。
【００４７】
さらに、保持壁５０ａ，５０ｂが、リセプタクルコンタクト２２の突起部２５ｅの後方に設けられているため、保持部２２ｂ及び突起部２５ｅが保持壁５０ａ，５０ｂにより後方から保持される。したがって、保持部２２ｂが、リセプタクルコンタクト２２の厚み方向へ移動することが規制される。よって、リセプタクルコンタクト２２の安定保持を図ることができる。
【００４８】
加えて、プラグ湾曲部１２ｂのリセプタクル湾曲部２２ｄへの嵌合動作時に接触する、外側面３３ａと、内側面４３ａ，４４ａとは、共に凹凸のない平坦面となるように形成されていることから、有効嵌合長を長くすることができる。また、外側面３３ａと、内側面４３ａ，４４ａとが係合しないことから、プラグ湾曲部１２ｂのリセプタクル湾曲部２２ｄへの嵌合解除時（引き抜き時）に、リセプタクルコンタクト２２が嵌合方向へ移動することを抑制することができる。
【００４９】
また、プラグ湾曲部１２ｂのリセプタクル湾曲部２２ｄへの嵌合動作時（挿入時）に、プラグ湾曲部１２ｂの外側面３２ａと、リセプタクル湾曲部２２ｄの内側面４２ａとの接触に先駆けて、プラグ湾曲部１２ｂの外側面３３ａと、リセプタクル湾曲部２２ｄの内側面４４ａとが接触することから、屈曲部４４が変位してから、外側面３２ａと内側面４２ａとが接触する。したがって、低い挿入力により、プラグ湾曲部１２ｂをリセプタクル湾曲部２２ｄへ嵌合させることができる。よって、プラグ湾曲部１２ｂのリセプタクル湾曲部２２ｄへの嵌合動作時において低い挿入力を実現できるとともに、プラグ湾曲部１２ｂのリセプタクル湾曲部２２ｄからの嵌合解除時において高い引き抜き力を実現することができるため、低い挿入力と高い引き抜き力とを両立させることができる。
【００５０】
以上、本発明の好適な実施の形態について説明したが、本発明は上述の実施の形態に限られるものではなく、特許請求の範囲に記載した限りにおいて様々な変更が可能なものである。例えば、本実施形態では、プラグ係合段部Ｐとリセプタクル係合段部Ｒにおいて、プラグ係合段部Ｐの底面３２ｑと下側面３２ｐとのなす傾斜角度が鈍角であり、且つ、リセプタクル係合段部Ｒの底面４２ｑと上側面４２ｒとのなす傾斜角度が直角であるが、プラグ係合段部Ｐの底面３２ｑと下側面３２ｐとのなす傾斜角度が直角であり、且つ、リセプタクル係合段部Ｒの底面４２ｑと上側面４２ｒとのなす傾斜角度が鈍角であってもよい。上記構成によっても、本願と同様な効果が得られる。
【００５１】
また、本実施形態では、リセプタクルハウジング２１が、保持壁５０ａ，５０ｂを有しているが、保持壁５０ａ，５０ｂを有していなくてもよい。さらに、リセプタクルハウジング２１の底壁２６が、凸部２７に向かって、リセプタクルコネクタ２０の頂部４１が存在する位置まで延びていなくてもよい。
【００５２】
また、本実施形態では、プラグ湾曲部１２ｂの側部３３の外側面３３ａと、リセプタクル湾曲部２２ｄの屈曲部４４の内側面４４ａ及び側部４３の内側面４３ａとは、共に凹凸のない平坦面であるが、プラグ湾曲部１２ｂのリセプタクル湾曲部２２ｄへの嵌合動作時に、少なくともそれらが互いに接触する部分において、共に凹凸のない平坦面となるように形成されていれば、互いに接触されない部分は平坦面でなくてもよい。さらに、本実施形態では、プラグ湾曲部１２ｂの外側面３３ａと、リセプタクル湾曲部２２ｄの内側面４３ａ，４４ａとは、共に凹凸のない平坦面であるが、外側面３３ａ及び内側面４３ａ，４４ａの少なくとも一方に凹部が形成されていてもよい。
【符号の説明】
【００５３】
１０  プラグコネクタ
１１  プラグハウジング
１２  プラグコンタクト
２０  リセプタクルコネクタ
２１  リセプタクルハウジング
２２  リセプタクルコンタクト
１２ｂ  プラグ湾曲部
２２ｄ  リセプタクル湾曲部
１５ａ，１５ｂ，２５ａ，２５ｂ  側壁
３２ａ，３３ａ  外側面
４２ａ，４３ａ，４４ａ  内側面
Ｐ  プラグ係合段部
Ｒ  リセプタクル係合段部
３２ｑ，４２ｑ  底面
３２ｐ  下側面
４２ｒ  上側面
３１，４１  頂部
２２ｂ  保持部
２５ｅ  突起部
５０ａ，５０ｂ  保持壁
１００  コネクタ
【図１】
2012018781.tif 000003
【図２】
2012018781.tif 000004
【図３】
2012018781.tif 000005
【図４】
2012018781.tif 000006
【図５】
2012018781.tif 000007
【図６】
2012018781.tif 000008